(57)【要約】【課題】  厚さの異なる多様な厚みの素材に対して、或いは、軟質、硬質など多様な材質の素材の挟持対象物を幅広く挟持できるクリップの提供。【解決手段】  所定幅の折曲部３の両端から連続的かつ拡開状に延設された前面挟持板２と後面挟持板４とからなる弾性的なクリップ本体１と、該クリップ本体１の外表面を摺動可能な幅を有する折曲部９の両端から幅狭状に延設された押圧板２１とスライド板２３とからなる弾性的な押圧カバー部材２０とで構成され、該押圧カバー部材２０が前記クリップ本体１の外表面で上下方向に摺動自在に配置されたクリップＣであって、前記前面挟持板２の対向する両側辺が外方に折り返された一対のスライド片１０により形成された略Ｕ字状のスライド溝１１に前記スライド板２３がスライド自在に収容され、前記押圧カバー部材２０を下降させることにより前記前面挟持板２と後面挟持板４とが押圧近接する構成とした。【選択図】    図１
2007130112.tif 000002
【特許請求の範囲】
【請求項１】
所定幅を有する折曲部の両端から連続的かつ拡開状に延設された前面挟持板と後面挟持板とからなる弾性的なクリップ本体と、該クリップ本体の外表面を摺動可能な幅を有する折曲部の両端から徐々に幅狭状に延設された押圧板とスライド板とからなる弾性的な押圧カバー部材とで構成され、該押圧カバー部材が前記クリップ本体の外表面で上下方向に摺動自在に配置されたクリップであって、前記クリップ本体の前面挟持板の対向する両側辺が外方（裏面側）に折り返された一対のスライド片により上下方向に形成された略Ｕ字状のスライド溝に前記押圧カバー部材のスライド板が上方からスライド自在に収容され、前記押圧カバー部材を下降させることにより前記クリップ本体の後面挟持板と前面挟持板とを押圧近接或いは接触せしめる構成としたことを特徴とするクリップ。
【請求項２】
前記押圧カバー部材の押圧板の長手方向に沿って少なくとも１つの係止長孔が形成されると共に、前記クリップ本体の前面挟持板折曲部近傍で前記係止長孔と対応する位置に係止片が形成されており、前記押圧カバー部材は、前記前面挟持板外表面の係止片と下端部間で摺動自在であると共に、前記押圧カバー部材を上方に摺動させた時に前記係止長孔の下端縁が前記係止片に係止しすることにより押圧カバー部材が抜け落ちるのを防止する構成としたことを特徴とする請求項１に記載のクリップ。
【請求項３】
前記クリップ本体の後面挟持板に、前記クリップ本体を取付対象物に着脱可能に係着する係着手段を備えたことを特徴とする請求項１又は２に記載のクリップ。
【請求項４】
前記クリップ本体の後面挟持板に、前記クリップ本体を取付対象物に固定する固定手段を備えたことを特徴とする請求項１又は２に記載のクリップ。
【請求項５】
メガネやサングラス等の挿入口及び袋状の収納部を有する収納具本体と、該収納具本体の片方の面部に取り付けられ、衣類の胸ポケットや鞄等の挟持対象物を挟持するクリップと、所定の長さを有する紐状の吊り下げ部材とからなるメガネ収納具であって、前記吊り下げ部材の一方の端部が前記収納具本体に連結され、もう一方の端部がメガネに連結されていると共に、前記クリップに請求項１乃至３の何れか一項に記載のクリップを用いていることを特徴とするメガネ収納具。
【発明の詳細な説明】
【技術分野】
【０００１】
この発明は、幅広い多様な厚みを有する素材、或いは、軟質、硬質など多様な材質の素材の挟持対象物を幅広く挟持することができる新規なクリップ、及び、該クリップを用いて、衣服のポケットや襟、ズボン又はズボンのベルト、或いはカバン等に係着されるメガネ収納具に関する。
【背景技術】
【０００２】
従来の、書類等を挟持して束ねるために用いられるクリップとして、従来は押出装置を必要としていたが、これを改良した押出装置を必要としない使い勝手の良いクリップが開発されている。例えば図１７に示したように、このクリップ５０は、所望幅を有する折曲部５１の両端から連続的かつ拡開状に上下挟持片５２，５２を延設し、該上下挟持片５２，５２の先端を折曲部５１の方へ向けて夫々内方へ折曲して一対の押圧爪５３を対向形成してなる弾性的なクリップ本体５４と、所望幅に形成された折曲部５５両端から連続的に延設された上下挟持片５６，５６を有し、該上下挟持片５６，５６の先端が上記クリップ本体５４の折曲部５１寄り上下部位に係合され、上記挟持片５２，５２間で形成される最大開口幅よりも幅狭状である弾性的な押圧カバー５７とで構成され、上記押圧カバー５７がクリップ本体５４の上下挟持片５２，５２同士を押圧近接せしめる構成になっている（特許文献１参照）。
【０００３】
また、従来のメガネケースは、図２２に示したように、上部に収納口６２を設けたケース本体６１の片面に覆体の一側辺をケース本体６１に取り付け、他方の三辺部をファスナー６３でケース本体６１と着脱できる予備ケース６４を設けた眼鏡用ソフトケース６０が開示されている（特許文献２参照）。
また、図２３に示したように、、ケース本体７１の裏面の縦方向、或いは、横方向にバッグなどへの固定具７２を設けた眼鏡用ハードケース７０が開示されている（特許文献３参照）。
【０００４】
さらに、図２４に示した、本出願人の出願に係る特開２００４−１２９９０１号公報には、メガネの収納部８２を有し、上端部の挿入口８８周縁にバネ収容部８３が形成された袋本体８１と、前記バネ収容部８３に収容されたバネ部材８５と、被服のポケットやカバンの仕切り部分等を挟持するために前記袋本体８１の片面の面部に固着された側面形状が逆Ｕ字状のクリップ８６と、所定の長さを有する紐状体の吊り下げ部材８７とで構成され、前記吊り下げ部材８７の一方の端部は前記袋本体８１に接続され、もう一方の端部がメガネＥに接続されたメガネ収納具８０が開示されている（特許文献４参照）。
【特許文献１】特許第２６８６０５８号公報
【特許文献２】実開平０２−０８２９１９号公報
【特許文献３】実開平０６−０１５５２０号公報
【特許文献４】特開２００４−１２９９０１号公報
【発明の開示】
【発明が解決しようとする課題】
【０００５】
上記のように構成された従来のクリップにおいては、分離した複数枚の書類等を束ねるのを目的にして作られているため、クリップを、他の目的に利用できるような手段を備えておらず応用範囲が限定されていた。
また、厚さの異なる多様な厚みの素材に対して、或いは、軟質、硬質など多様な材質の素材の対象物をなどを幅広く挟持できるクリップは公知でない。
【０００６】
また、上記のように構成された従来のメガネ収納具においては、ソフトケースタイプの眼鏡ケースの場合には、メガネ収納部にメガネやサングラス等を収納して衣服のポケットに収納したり、鞄や引き出しなどに入れて保管して使用するなどメガネの保護具的な役割として使われていた。
また、ハードケースタイプの眼鏡ケースの場合は、ズボンのベルトやカバンに止着できるので、携帯して移動する際に便利であった。しかし、両者ともメガネの保護具的な役割が強かった。
さらに、メガネ収納具においては、外出先での置き忘れは防止できるように改善されたが、メガネ収納具へのメガネの出し入れの際に、袋本体上部のバネ部材の部分を指で両サイドから挟み込んで挿入口を開口し、メガネの出し入れを行うが、この操作がやりずらいという操作性上に問題があった。上記のように構成された従来のメガネ収納具においては、更に、フックの構造上、薄い素材の被服から、厚みのある素材であるズボンのベルトやカバン等のようなものに対して一定の挟持力を保つことが難しく、取り扱い操作性にも大いに問題があった。
【０００７】
そこで、この発明においては、厚さの異なる多様な厚みの素材に対して、及び、軟質、硬質など多様な材質の素材の対象物を幅広く且つ容易に挟持することができ、且つ、応用範囲の広いクリップを提供することを課題としている。
【０００８】
また、この発明のメガネ収納具においては、外出先での置き忘れを防止するとともに、厚みのある素材であるズボンのベルトやカバン等のようなものに対して一定の挟持力を保てると共に、取り扱い操作性が良好なメガネ収納具を提供することを課題としている。
【課題を解決するための手段】
【０００９】
請求項１に記載の発明は、所定幅を有する折曲部の両端から連続的かつ拡開状に延設された前面挟持板と後面挟持板とからなる弾性的なクリップ本体と、該クリップ本体の外表面を摺動可能な幅を有する折曲部の両端から徐々に幅狭状に延設された押圧板とスライド板とからなる弾性的な押圧カバー部材とで構成され、該押圧カバー部材が前記クリップ本体の外表面で上下方向に摺動自在に配置されたクリップであって、前記クリップ本体の前面挟持板の対向する両側辺が外方（裏面側）に折り返された一対のスライド片により上下方向に形成された略Ｕ字状のスライド溝に前記押圧カバー部材のスライド板が上方からスライド自在に収容され、前記押圧カバー部材を下降させることにより前記クリップ本体の後面挟持板と前面挟持板とを押圧近接或いは接触せしめる構成とした。
【００１０】
請求項２に記載の発明は、請求項１に記載の構成に加え、前記押圧カバー部材の押圧板の長手方向に沿って少なくとも１つの係止長孔が形成されると共に、前記クリップ本体の前面挟持板折曲部近傍で前記係止長孔と対応する位置に係止片が形成されており、前記押圧カバー部材は、前記前面挟持板外表面の係止片と下端部間で摺動自在であると共に、前記押圧カバー部材を上方に摺動させた時に前記係止長孔の下端縁が前記係止片に係止しすることにより押圧カバー部材が抜け落ちるのを防止する構成とした。
【００１１】
請求項３に記載の発明は、請求項１又は２に記載の構成に加え、前記クリップ本体の後面挟持板に、前記クリップ本体を取付対象物に着脱可能に係着する係着手段を備えている。
【００１２】
請求項４に記載の発明は、請求項１又は２に記載の構成に加え、前記クリップ本体を取付対象物に固定する固定手段を備えている。
【００１３】
請求項５に記載の発明は、メガネやサングラス等の挿入口及び袋状の収納部を有する収納具本体と、該収納具本体の片方の面部に取り付けられ、衣類の胸ポケットや鞄等の挟持対象物を挟持するクリップと、所定の長さを有する紐状の吊り下げ部材とからなるメガネ収納具であって、前記吊り下げ部材の一方の端部が前記収納具本体に連結され、もう一方の端部がメガネに連結されていると共に、前記クリップに請求項１乃至３の何れか１項に記載のクリップを用いている。
【発明の効果】
【００１４】
以上説明してきたように、請求項１に記載の発明によれば、クリップ本体と押圧カバー部材との組合せにより、押圧カバー部材を上方に移動させることにより、クリップ本体の前面挟持板と後面挟持板の先端部（幅広部）は、クリップ本体の弾性力により広く開口するので、厚い挟持対象物でも容易に挿入することができる、そして、押圧カバー部材を下方に摺動することにより、クリップ本体の後面挟持板と前面挟持板とを強力に押圧近接、或いは、接触させることができるので、厚さの異なる多様な厚みの素材、或いは、軟質、硬質など多様な材質の素材などの多様な挟持対象物を強固に安定して挟持することができると共に、クリップの応用範囲が拡大される。
【００１５】
請求項２に記載の発明によれば、請求項１に記載の発明の効果に加え、押圧カバー部材を上方に摺動させた時に係止長孔の下端縁がクリップ本体の前面挟持板の係止片に係止して押圧カバー部材が抜け落ちるのを防止することができる。
【００１６】
請求項３に記載の発明によれば、請求項１又は２に記載の発明の効果に加え、クリップ本体の後面挟持板に、クリップ本体を取付対象物に着脱可能に係着する係着手段を備えているので、クリップの応用範囲の拡大が図れる。
【００１７】
請求項４に記載の発明によれば、請求項１又は２に記載の発明の効果に加え、クリップ本体の後面挟持板に、クリップ本体を取付対象物に固定する固定手段を備えているので、請求項３とは異なった方面（分野）でのクリップの応用範囲の拡大が図れる。
【００１８】
請求項５に記載の発明によれば、メガネやサングラス等の収納部を有する収納具本体には、所定の長さを有する紐状の吊り下げ部材の一方の端部が袋本体に連結され、もう一方の端部がメガネに連結されており、収納具本体は、衣類の胸ポケットや鞄類等の挟持対象物をクリップで挟持しているのでメガネの置き忘れを確実に防止することができる。さらに、請求項１乃至３の何れか１項に記載のクリップを用いたことにより、幅広い多様な厚みを有する素材、或いは、軟質、硬質など多様な材質の素材の挟持対象物を幅広く確実に挟持することができる新規なクリップを提供することができる、と共に、挟持対象物からのクリップの着脱などの取扱い操作性を容易にすることができる。
【発明を実施するための最良の形態】
【００１９】
以下、この発明の実施の形態１について、図１乃至図１６によって詳細に説明する。
【００２０】
クリップＣの概要は、図１に示したように、所定幅を有する折曲部３の両端から連続的に延設され、且つ、徐々に拡開されている前面挟持板２と後面挟持板４とから弾性的なクリップ本体１が形成されている。このクリップ本体１の外表面を摺動可能な幅を有する折曲部２２の両端から延設され、幅広部２５を介して徐々に狭く形成された押圧板２１とスライド板２３とで押圧カバー部材２０が形成されている。押圧カバー部材２０はクリップ本体１の外表面に摺動自在に配置されてクリップＣが形成されている（図９、１０参照）。
さらに、クリップ本体１の後面挟持板４の対向する両側辺が裏面側に折り曲げられた一対のスライド片１０により上下方向に略Ｕ字状のスライド溝１１が形成されていて、押圧カバー部材２０でクリップ本体１を挟み込むようにして上方から被せ、押圧カバー部材２０のスライド板２３をスライド溝１１に挿入して摺動自在に収容されている。
押圧カバー部材２０がクリップ本体１の上方に位置しているときは、クリップ本体１の弾性力により後面挟持板４と前面挟持板２とは拡開しており、この挟持部に挟持対象物Ｅが挿入される。
そして、押圧カバー部材２０を下降させることにより、クリップ本体１の後面挟持板４と前面挟持板２とは押圧カバー部材２０の幅狭部により押圧され、クリップ本体１の後面挟持板４と前面挟持板２の先端部は接近、或いは、接触するように構成されているので、挟持対象物Ｅは強力に挟持される（図１１及び１２参照）。
【００２１】
クリップ本体１は、図１乃至図５に示したように、弾性を有するステンレススチール板により、側面形状が略Ｕ字状の折曲部３の両端部から前面挟持板２と後面挟持板４とが連続的に、且つ先端方向に向けて徐々に広がった拡開状に形成されている。
前面挟持板２の下方には帯状湾曲部６が形成され、この帯状湾曲部６の先端部が内方に折り曲げられて、後面挟持板４に対してほぼ直角に鋸刃状の挟持爪７を有する挟持部８が形成されている。さらに、前面挟持板２の上方寄り中央部には略Ｌ字状の係止片５が開口部を下方に向けて突出させて形成されている。
後面挟持板４裏面側の両側辺から延設され、外方（裏面側）にほぼ１８０度折り曲げられて一対のスライド片１０が形成されている。この一対のスライド片１０の内面部には、上下方向に開口した略Ｕ字状のスライド溝１１が形成される。
また、スライド片１０の上下端部の４カ所には、固定爪１０ａがそれぞれ延設されている。この固定爪１０ａは挟持対象物Ｅ側に喰いませるように折り曲げて使用され、薄い素材の挟持対象物Ｅでは固定する役目を果たし、厚い素材の挟持対象物Ｅの場合には位置ズレを防止する役目を果たすことができる。
【００２２】
押圧カバー部材２０は、図６乃至図８に示したように、クリップ本体１よりも板厚も厚く強い弾性力を有するステンレススチール板により、側面形状が略Ｕ字状の折曲部２２の端部から連続的に、且つ先端方向に向けて幅広部２５を介して徐々に狭められた幅狭部２６にスライド板２３と押圧板２１とが一体に形成されている。この押圧板２１の先端部はスライド板２３に接触、或いは、近接するように形成されている。さらに、押圧板２１の中央部には上下方向（長手方向）のほぼ全長に渡って係止長孔２４が一列穿設されている。
【００２３】
クリップＣは、図９乃至図１２に示したように、クリップ本体１の前面挟持板２と後面挟持板４の両外表面を挟むようにして押圧カバー部材２０を被せて、クリップ本体１の後面挟持板４背面に形成されたスライド溝１１に押圧カバー部材２０のスライド板２３の両側辺を挿入する。そして、押圧カバー部材２０押圧板２１の係止長孔２４下端縁２４ａが、クリップ本体１の前面挟持板２に突出形成された係止片５を乗り越えると、押圧カバー部材２０を上方に移動させても、前面挟持板２の係止片５に、押圧板２１の係止長孔２４下端縁２４ａが係止され、クリップ本体１から押圧カバー部材２０は抜け落ちないように形成されている。
【００２４】
このクリップＣを、被服やカバン等の挟持対象物Ｅに取り付けるには、図１１及び１２に示したように、押圧カバー部材２０をクリップ本体１の上方に移動させることにより、クリップ本体１の帯状湾曲部６先端の挟持部８が広く開口する。この挟持部８に挟持対象物Ｅを挿入し、押圧カバー部材２０を下降させると、押圧カバー部材２０の幅狭部１３によりクリップ本体１の前面挟持板２と後面挟持板４との間隔が押圧されて狭められる、さらに挟持部８が閉じることにより、後面挟持板４と挟持部８に形成された挟持爪７によって挟持対象物Ｅが強固に挟持される。
また、挟持対象物ＥからクリップＣを取り外す場合には、押圧カバー部材２０をクリップ本体１の上方に移動させることにより、挟持部８と後面挟持板４との間が大きく開口するので、挟持対象物Ｅを容易に取り外すことができる。
【００２５】
後面挟持板４の鋸刃状の挟持爪７は、柔軟性を有する布や皮革を挟持する場合の形状としては優れているが、紙類や、やや硬くて滑りやすい挟持対象物Ｅを挟持する場合には、挟持対象物Ｅとの接触面積を広くするなどの設計変更を行うことが好ましい（図示せず）。  また、接触面に滑り止め処理や加工を行うことにより、さらに挟持力が高められ、安定した挟持力を保つことができる。
【００２６】
また、図１３及び図１４に示したように、クリップ本体１の後面挟持板４Ｂ背面のスライド片１０Ａ，１０Ａの面積を大きくするなどして、このスライド片１０Ａに、両面テープなどにより、一組の面ファスナー（係着手段）１５のうちの、片方の雄型面ファスナー１５Ａ（又は雌型面ファスナー１５Ｂ）を取り付け、もう片方の雌型面ファスナー１５Ｂ（又は雄型面ファスナー１５Ａ）を取付対象物Ｆに固着することにより、クリップＣと取付対象物Ｆとを着脱自在にすることができる。これにより、後述する、この発明の実施の形態２の、図２１に示したように、取付対象物側（図示せず）に取り付けられたクリップＣに固着された雄型面ファスナー１５Ａと、他の物品側（例えばメガネ収納具３０や携帯電話など）に固着された雌型面ファスナー１５Ｂとで着脱自在にすることができる。これにより、取り扱い操作性の向上が図れ、応用範囲を広げることができる。
また、面ファスナーに替えて、マグネットを取り付けることにより、鉄製のボードや棚等に磁着させて、クリップＣとして用いることもできる。
【００２７】
また、図１５及び図１６に示したように、クリップ本体１の後面挟持板４背面のスライド片１０に延設させて、固定手段（固定部材）１６を形成することにより、取付孔１７を介して、鳩目１８，１８やネジ止め、接着等によりクリップ本体１を取付対象物Ｆに固定して、この固定されたクリップＣに、挟持対象物（図示せず）を挟持することができる。
【００２８】
上記、クリップ本体１と押圧カバー部材２０とは、弾性を有するステンレススチール板を使用することが好ましいが、あまり耐久性を要求されないような場合には、合成樹脂材製としても良いし、合成樹脂材とステンレススチール板を併用することもできる。
この他、弾性を有する鋼板にメッキ処理や塗装処理を施したものでも良い。
【００２９】
また、クリップＣを、蝶やテントウ虫、或いはワニ、その他動植物の外観形状に形成することにより、意匠性が高められ、利用範囲の拡大を図ることができる。
【００３０】
以下、この発明の実施の形態２ついて、図９乃至図１５、及び、図１８乃至図２１により詳細に説明する。
【００３１】
まず、メガネ収納具Ｐの概要について説明すると、図１乃至図３に示したように、メガネ収納具Ｐは、メガネ４６を収納するための袋状の収納部３９を有する収納具本体３０と、収納具本体３０の片面（裏面）に取り付けられて、衣類の胸ポケットや鞄類等の挟持対象物Ｅを挟持するクリップＣと、所定の長さを有する紐状の吊り下げ部材４０とで構成されている。吊り下げ部材４０の片方の端部は収納具本体３０に連結されている。もう片方の端部はメガネに連結されている。メガネ収納具Ｐについて以下に更に詳細に説明する。
【００３２】
収納具本体３０は、図１９乃至図２１に示したように、略方形の後面シート部材３１と、後面シート部材３１と同一幅で、後面シート部材３１より少し短目の前面シート部材３２のそれぞれの短辺側の１辺（下方側）を揃えて、この３辺の周縁が縫着されている。これにより、短辺側の１辺にメガネ挿入口３４を有する袋状の収納具本体３０が形成される。
この収納具本体３０の上方端部寄りに穿設された掛止孔３１ａには補強のための鳩目３７部材が取り付けられている。
【００３３】
さらに、収納具本体３０には、収納具本体３０内にメガネを収納したときに落下しないように落下防止バンド３５が取り付けられている。この帯状の脱落防止バンドの一端は後面シート部材３１の裏面上方寄りの上部寄りに縫着固定されている。また、落下防止バンド３５の他端部には一組の嵌着具３６のうちの片方が取り付けられ、嵌着具３６のもう片方は収納具本体３０の前面シート部材３２の上方よりに補強片３３を介在させて取り付けられている。ここで使用されている嵌着具３６は雄型マグネットスナップ３６Ａと、雌型マグネットスナップ３６Ｂが用いられているが、これに限定されることなく、従来のフックや、ボタン、チャック、面ファスナー等の公知の掛止具や嵌着具３６を用いることは自由である。
【００３４】
図示していないが、上記、後面シート部材３１と前面シート部材３２を同じ長さにする、あるいは、後面シート部材３１と前面シート部材３２を二枚に分割することなく一枚のシート部材を折り曲げて形成すること等は自由である。
【００３５】
収納具本体３０の素材としては、この実施の形態においては柔軟性を有する鹿皮を用いているが、これに限定されることはなく、布地、合成皮革、和紙、２枚の布地や合成皮革の間にウレタンフォームなどのクッション材をサンドイッチ構造にした素材などを用いることもできる。また、使用される環境によっては、硬質材料によるハードケースにすることもできる。
【００３６】
この実施の形態においては、主に、縫着により加工しているが、使用する素材の種類によっては、縫着に限らず、接着や溶着、圧着など、あるいは、これら複数の組み合わせによって加工される。
【００３７】
被服やカバン等の挟持対象物Ｅに、メガネ収納具Ｐを取り付ける場合には、図９及び１１に示したように、押圧カバー部材２０を、クリップ本体１の上方に移動させることにより、クリップ本体１の有する弾性力により挟持部８が開口するので、この挟持部８に挟持対象物Ｅを挿入する。次に、図１０及び１２に示したように、押圧カバー部材２０を下方に移動させることにより、押圧カバー部材２０の有する弾性力と幅狭部２６によって挟持部８は閉じて、挟持対象物Ｅを強力に挟持する。
また、挟持対象物Ｅからクリップを取り外す場合には、押圧カバー部材２０をクリップ本体１の上方に移動させることにより、上記と同様の理由により、クリップ本体１の挟持部８が開口するので、挟持対象物Ｅを容易に取り外すことができる。
【００３８】
このクリップＣは、図２１に示したように、クリップＣと収納具本体３０にそれぞれ取り付けられた一組の面ファスナー（係着手段）１５により、収納具本体３０に対して着脱自在に取り付けられている。
この着脱自在な面ファスナー（係着手段）１５を用いたことにより、クリップＣの挟持対象物Ｅへの取付・取り外しが容易になると共に、収納具本体３０の取付角度を自在に変えられるので、挟持対象物Ｅに対応させてバランス良く自然な角度（形態）で取り付けることができる。
【００３９】
この面ファスナー（係着手段）１５は、図２１に示したように、収納具本体３０の後面シート部材３１に補強用の基板４５を貼着固定する。この表面に雌型面ファスナー１５Ｂの裏面を合わせて貼着及び縫着により固定する。そして、もう一方のクリップＣは、クリップ本体１の裏面に基板４５を貼着固定する。この表面に雄型面ファスナー１５Ａの裏面を合わせて貼着及び縫着により固定する。これにより、収納具本体３０とクリップ本体１とは、一組の面ファスナー１５（雄型面ファスナー１５Ａ、雌型面ファスナー１５Ｂ）を介して着脱自在となる。
この実施の形態２における係着手段としては、マジックファスナー（登録商標）を用いているが、この他の係着手段として、メカニカルファスナー（登録商標）や磁性板を用いたものでも良いし、或いは、面ファスナー１５に変えて、スナップなどを用いても係着手段としての目的を達成することができる。
また、図示していないが、クリップを取り付ける対象物がワイシャツのポケットであったり、着物の襟など柔らかな場所の場合には、ポケット、或いは、着物の襟の内側に硬質の板体をあてがってからクリップを取り付けることにより、型くずれを防止すると共に取付も容易になる。
【００４０】
吊り下げ部材４０は、図１８に示したように、可撓性紐体４１の両端を、可撓性樹脂材製の８字状連結具４３の第１輪部４３Ａにそれぞれ挿通させて折返し、この折返し部を緊締具４２により固定して可撓性紐体４１と８字状連結具４３とを連結している。
この８字状連結具４３の中間部にはコイル状の移動環４４が摺動可能に配設されている。この移動環４４は、一方の８字状連結具４３の第２輪部４３Ｂにメガネの片方のつる部４７を挿入して移動環４４をメガネのつる部４７方向に移動することにより、メガネ４６は８字状連結具４３から容易に離脱しないように形成されている。
また、吊り下げ部材４０のもう片方の端部の８字状連結具４３の第２輪部４３Ｂに止環３８を介して（または直接）収納具本体３０の掛止孔３１ａに掛止している。
【００４１】
図示していないが、この吊り下げ部材４０の可撓性紐体４１部分を、家電製品や巻き尺等のコードの巻取り機構を応用した巻取り式にすることにより、メガネ４６を収納具本体３０内に収納する時の可撓性紐状体４０の取り扱いを容易にすると共に、外観も向上する。
［作用］
【００４２】
メガネ収納具Ｐの作用について図９乃至１２、及び図１８乃至２１により説明する。
メガネ４６が収納されたメガネ収納具Ｐを、クリップＣを介して背広のポケットやカバンなどの挟持対象物Ｅに取り付けるには、図９及び１１に示したように、まず、クリップＣの押圧カバー部材２０を上方にスライドさせる。これにより、クリップ本体１の後面挟持板４と前面挟持板２の挟持部８との間が広く開口するので、この開口した挟持部８に挟持対象物Ｅを挿入する。
次に、図１０及び１２に示したように、押圧カバー部材２０をクリップ本体１の外表面を摺接させて下方にスライドさせると、クリップ本体１の後面挟持板４と前面挟持板２の挟持部８の間が閉じて後面挟持板４と挟持部８の挟持爪７とで挟持対象物Ｅが強く挟持される。
また、メガネ収納具Ｐを挟持対象物Ｅから取り外すには、上記同様、図９及び１１に示したように、クリップＣの押圧カバー部材２０を上方にスライドさせると、クリップ本体１の後面挟持板４と前面挟持板２の挟持部８との間が広く開口するので、メガネ収納具Ｐを挟持対象物Ｅから取り外すことができる。
メガネ４６を使用するには、後面シート部材３１側に取り付けられている落下防止バンド３５の雄型マグネットスナップ３６Ａを収納具本体３０側の雌型マグネットスナップ３６Ｂから外して、メガネ４６をメガネ収納具Ｐ内から取り出して使用する。
メガネ４６の使用後、メガネ４６を収納具本体３０の挿入口３４から挿入して収納部３９に収納し、落下防止バンド３５の雄型マグネットスナップ３６Ａを収納具本体３０側の雌型マグネットスナップ３６Ｂに嵌着する（図１９及び２１参照）  。
この時の、メガネ４６は、常に紐状の吊り下げ部材４０の一方の端部が８字状連結具４３を介してメガネ４６のつる部４７に連結されている、また、もう一方の端部は８字状連結具４３及び止環３８を介して収納具本体３０の掛止孔３１ａに掛止されている（図１８参照）。これにより、メガネ収納具ＰがクリップＣにより挟持対象物Ｅに取り付けられている限りにおいては、メガネ４６を紛失したり、置き忘れる心配はなくなる。
【産業上の利用可能性】
【００４３】
クリップの場合、挟持爪の向きや、表面の性状、形状などを変えることにより、柔軟な素材から硬い素材まで幅広く挟持することができるので、例えば、携帯用の携帯電話や小物ケースに当該クリップを取り付けて衣服やカバンに取り付けて持ち運んだり、或いは、吊り下げ具や紙類などを挟持するための文房具として、その他、アイデア次第でいろいろな分野（方面）での利用が期待できる。
【図面の簡単な説明】
【００４４】
【図１】この発明の実施の形態１に係るクリップの分解斜視図である。
【図２】同実施の形態に係るクリップ本体の正面図である。
【図３】同実施の形態に係るクリップ本体の背面図である。
【図４】同実施の形態に係るクリップ本体の右側面図である。
【図５】同実施の形態に係るクリップ本体の底面図である。
【図６】同実施の形態に係る押圧カバー部材の正面図である。
【図７】同実施の形態に係る押圧カバー部材の背面図である。
【図８】同実施の形態に係る押圧カバー部材の左側面図である。
【図９】同実施の形態に係るクリップの押圧カバー部材を上昇させた状態を表す正面図である。
【図１０】同実施の形態に係るクリップの押圧カバー部材を下降させた状態を表す正面図である。
【図１１】図９の左側面図である。
【図１２】図１０の左側面図である。
【図１３】同実施の形態に係るクリップ本体の異なる実施例１を表す平面図である。
【図１４】図１３のクリップ本体の背面図である。
【図１５】同実施の形態に係るクリップ本体の異なる実施例２を表す平面図である。
【図１６】図１５のクリップ本体の背面図である。
【図１７】従来例のクリップを表す側面図である。
【図１８】この発明の実施の形態２に係るメガネ収納具の説明図である。
【図１９】同実施の形態に係る吊り下げ部材を省略した一部破断のメガネ収納具の正面図である。
【図２０】同実施の形態に係る吊り下げ部材を省略したメガネ収納具の背面図である。
【図２１】同実施の形態に係る吊り下げ部材を省略したメガネ収納具の部分拡大右側面図である。
【図２２】従来技術の眼鏡用ソフトケースを表す斜視図である。
【図２３】従来技術の眼鏡用ハードケースを表す斜視図である。
【図２４】従来技術のメガネ収納具の説明図である。
【符号の説明】
【００４５】
Ｃ  クリップ
Ｅ  挟持対象物
Ｆ  取付対象物
Ｐ  メガネ収納具
１  クリップ本体
２，２Ａ，２Ｂ  前面挟持板
３  折曲部
４，４Ａ，４Ｂ  後面挟持板
５  係止片
６  帯状湾曲部
７  挟持爪
８  挟持部
９  折曲部
１０  スライド片
１０ａ  固定爪
１１  スライド溝
１２  幅広部
１３  幅狭部
１５  面ファスナー（係着手段）
１６  固定手段（固定部材）
１７  取付孔
２０  押圧カバー部材
２１  押圧板
２２  折曲部
２３  スライド板
２４  係止長孔
２４ａ  下端縁
２５  幅広部
２６  幅狭部
３０  収納具本体
３１  後面シート部材
３１ａ  掛止孔
３２  前面シート部材
３３  補強片
３４  挿入口
３５  落下防止バンド
３６  嵌着具
３７  鳩目
３８  止環
３９  収納部
４０  吊り下げ部材
４１  可撓性紐体
４２  緊締具
４３  ８字状連結具
４３Ａ  第１輪部
４３Ｂ  第２輪部
４４  移動環
４５  基板
４６  メガネ
４７  つる部
【図１】
2007130112.tif 000003
【図２】
2007130112.tif 000004
【図３】
2007130112.tif 000005
【図４】
2007130112.tif 000006
【図５】
2007130112.tif 000007
【図６】
2007130112.tif 000008
【図７】
2007130112.tif 000009
【図８】
2007130112.tif 000010
【図９】
2007130112.tif 000011
【図１０】
2007130112.tif 000012
【図１１】
2007130112.tif 000013
【図１２】
2007130112.tif 000014
【図１３】
2007130112.tif 000015
【図１４】
2007130112.tif 000016
【図１５】
2007130112.tif 000017
【図１６】
2007130112.tif 000018
【図１７】
2007130112.tif 000019
【図１８】
2007130112.tif 000020
【図１９】
2007130112.tif 000021
【図２０】
2007130112.tif 000022
【図２１】
2007130112.tif 000023
【図２２】
2007130112.tif 000024
【図２３】
2007130112.tif 000025
【図２４】
2007130112.tif 000026